(57)【要約】【課題】  長期間使用しても飽きが来ないように、電力量以外にも情報を表示可能とする情報表示システムを提供する。【解決手段】分電盤に設けられた複数の分岐ブレーカの夫々に、接続された電気機器の電力使用量を計測するために設置した計測手段と、計測したデータから電力使用量を演算する電力演算手段と、求めた電力使用量データを情報表示手段に送信するためのサーバとを備え、サーバは、計測したデータから分岐ブレーカ毎の電力使用量を演算する電力演算手段と、演算したデータを保存するデータ記憶手段と、電力使用量に対して料金を換算する電力料金換算手段と、を有する一方、情報表示手段は、不特定多数の居住者がいる施設に設置され、施設での行事の情報や、来客予定や、献立等の前記施設に関する情報をも、情報表示手段からの閲覧要求に応じて、電力使用量、節電金額に加えて表示可能とする【選択図】図３
2014057455.tif 000002
【特許請求の範囲】
【請求項１】
分電盤に設けられた複数の分岐ブレーカの夫々に、接続された電気機器の電力使用量を計測するために設置した計測手段と、計測したデータから電力使用量を演算する電力演算手段と、求めた電力使用量データを前記情報表示手段に送信するためのサーバとを備え、前記サーバは、計測したデータから前記分岐ブレーカ毎の電力使用量を演算する電力演算手段と、演算したデータを保存するデータ記憶手段と、電力使用量に対して料金を換算する電力料金換算手段と、を有する一方、前記情報表示手段は、不特定多数の居住者がいる施設に設置され、前記施設での行事の情報や、来客予定や、献立等の前記施設に関する情報をも、前記情報表示手段からの閲覧要求に応じて、電力使用量、節電金額に加えて表示可能とすることを特徴とする情報表示装置。
【発明の詳細な説明】
【技術分野】
【０００１】
本発明は、ＷＥＢ画面を用いて発電電力量や使用電力量など各種情報を表示する情報表示装置に関するものである。
【背景技術】
【０００２】
従来、各種情報を表示する情報表示システムには、例えば、自家発電システムの発電状態を表示するものがある。しかしながら、従来の情報表示システムは、単調なデザインのものが多く、自家発電システムの情報表示システムでは、自家発電システムに関する情報のみが表示され利用者に飽きられやすかったりした。
【０００３】
また、特許文献１に記載の宅内電力使用量管理システムがある。電力使用量や電力料金の他に、節電金額を旅行費用に換算して、仮想旅行シミュレートを表示するものであり、計測した電力使用量を元に演算した節電金額と、居住者の場所情報と観光スポット情報とから演算した旅行費用とによって観光スポットまでの到達度を演算する仮想旅行シミュレート手段を有し、電力使用量、節電金額に加えて、観光スポットまでの到達度といった複数の情報を一つのディスプレイに表示するものである。
【先行技術文献】
【特許文献】
【０００４】
【特許文献１】特開２０１１−９１９０２号公報
【発明の概要】
【発明が解決しようとする課題】
【０００５】
しかしながら、上記した従来技術による情報表示システムは、個人住宅に利用することを前提に構成されており、最近の節電意識の高まりから、高齢者介護施設などの不特定多数の居住者がいるようなところでも情報表示システムを導入することがあり、その場合、電力に関する情報だけでは、興味が薄れてきて、居住者が次第にディスプレイを見なくなるという欠点がある。
【課題を解決するための手段】
【０００６】
そこで、本発明は、長期間使用しても飽きが来ないように、電力量以外にも情報を表示可能とする情報表示システムを提供することを目的とし、分電盤に設けられた複数の分岐ブレーカの夫々に、接続された電気機器の電力使用量を計測するために設置した計測手段と、計測したデータから電力使用量を演算する電力演算手段と、求めた電力使用量データを情報表示手段に送信するためのサーバとを備え、サーバは、計測したデータから分岐ブレーカ毎の電力使用量を演算する電力演算手段と、演算したデータを保存するデータ記憶手段と、電力使用量に対して料金を換算する電力料金換算手段と、を有する一方、情報表示手段は、不特定多数の居住者がいる施設に設置され、施設での行事の情報や、来客予定や、献立等の前記施設に関する情報をも、情報表示手段からの閲覧要求に応じて、電力使用量、節電金額に加えて表示可能とすることを特徴とする。
【発明の効果】
【０００７】
本発明に係る情報表示装置では、分電盤に設けられた複数の分岐ブレーカの夫々に、接続された電気機器の電力使用量を計測するために設置した計測手段と、計測したデータから電力使用量を演算する電力演算手段と、求めた電力使用量データを情報表示手段に送信するためのサーバとを備え、サーバは、計測したデータから分岐ブレーカ毎の電力使用量を演算する電力演算手段と、演算したデータを保存するデータ記憶手段と、電力使用量に対して料金を換算する電力料金換算手段と、を有する一方、情報表示手段は、不特定多数の居住者がいる施設に設置され、施設での行事の情報や、来客予定や、献立等の前記施設に関する情報をも、情報表示手段からの閲覧要求に応じて、電力使用量、節電金額に加えて表示可能とするため、居住者が必要とする情報を電力情報と同時に入手でき、長期間使用しても飽きず利用可能となる。
【図面の簡単な説明】
【０００８】
【図１】分電盤の構造を示す正面図である。
【図２】本発明に係る情報表示装置のディスプレイに電力情報を表示した状態を示す図である。
【図３】本発明に係る情報表示装置のディスプレイに行事予定を表示した状態を示す図である。
【図４】本発明に係る情報表示装置のディスプレイに来客情報を表示した状態を示す図である。
【図５】本発明に係る情報表示装置のディスプレイに献立を表示した状態を示す図である。
【発明を実施するための形態】
【０００９】
本発明に係る情報表示装置の実施例を図１〜図５の添付図面に基づいて説明する。
【００１０】
図１に示すように、分電盤１には、主幹ブレーカ２や複数の分岐ブレーカ３が配列されている。分岐ブレーカ３の負荷側端子４に電流センサ５を設け電流を計測し、この電流値を基に演算された電力使用量を蓄積するサーバ６と、電圧センサ（図示せず）とが分電盤１に配置されている。
【００１１】
分電盤１に収められた分岐ブレーカ３には、家電製品等の機器が接続され、電流センサ５が電流値を検出し、サーバ６へ送る。サーバ６では、この電流値と、主幹ブレーカ２の負荷側に設けられている電圧センサ（図示せず）により検出された電圧値とから、分岐ブレーカ３毎に使われる電力・電力使用量を演算し、この演算値を記憶する。これらの作業を経て得られた値を基に、図２に示すようにＷＥＢページ７が作成されディスプレイ等に表示することができる。
【００１２】
本発明に係る情報表示装置は、高齢者介護施設等、不特定多数の居住者がいるような設備に導入されることもあるため、上記示した電力情報を表示するだけでなく、前記電力関連の情報だけでなく、例えば、図３に示すように、その施設での行事予定や、図４に示すように、その施設への来客者情報や、図５に示すように、その日の献立を表示するＷＥＢページを設ける。
【００１３】
電力関連の情報は、居住者に興味をもって見てもらいたい内容ではあるが、数字がならびがちで、徐々に見てもらえなくなることが考えられるが、この電力関連の情報に加えて、居住者にとってより身近な情報を表示することで、より効果的に情報表示装置を利用できる。
【符号の説明】
【００１４】
１    分電盤
２    主幹ブレーカ
３    分岐ブレーカ
４    負荷側端子
５    電流センサ
６    サーバ
７    ＷＥＢページ
【図１】
2014057455.tif 000003
【図２】
2014057455.tif 000004
【図３】
2014057455.tif 000005
【図４】
2014057455.tif 000006
【図５】
2014057455.tif 000007